(57)【特許請求の範囲】
【請求項１】
固定ねじを通す透孔を設けた第１板部材と、前記固定ねじが螺合される螺合孔を設けた第２板部材と、前記固定ネジで取り付けられる器具用の脚を具備し、前記螺合孔を前記第１板部材とは反対方向に突出する膨出部に形成し、前記脚に、前記膨出部の内部に突出する突出部を形成した電気器具。
【発明の詳細な説明】
【０００１】
【発明の属する技術分野】
本発明は、ねじを使って内、外ケースの一体化を行うようにした電気器具に関するものである。
【０００２】
【従来の技術】
図１４〜１７は、従来の電気オーブンなどの電気調理器を示すもので、加熱室２１を構成する内ケース２２が外ケース２３に内設してある。
【０００３】
この加熱室２１は、扉２４によって開閉される開口を前面に有するとともに、内部上下にヒータ２５，２６が配設してある。そして上記内、外ケース２２，２３は固定ねじ２７，２８を介して複数箇所で固定されている。
【０００４】
さらに詳述すると、内ケース２２には立上がり孔縁２９を有するねじ孔３０が、また外ケース２３にはこのねじ孔３０と対応して透孔３１がそれそれ形成してある。固定ねじ２７を透孔３１を通してねじ孔３０に螺合し、締め付けることで上記内、外ケース２２，２３の固定が図られる。
【０００５】
器具の脚３２の固定も兼ねる固定ねじ２８は、他の固定ねじ２７よりも長く、上記と同様、外ケース２３の透孔３１を通して内ケース２２のねじ孔３０に螺合し、締め付けられる。
【０００６】
ねじ孔３０、つまりその立上がり孔縁２９の最小径は、固定ねじ２７，２８における螺条の山径よりも若干小さく設定されている。
【０００７】
したがって、固定ねじ２７，２８をねじ込むと、その螺条はねじ孔３０の立上がり孔縁２９をタッピングしつつ螺合されるものである。
【０００８】
電気オーブンなどの電気加熱調理器などにあって、その内ケース２２は加熱効率を高めるべく薄い板材で構成し、熱負荷を小さく設定するのが一般的である。
【０００９】
しかるに、固定ねじ２７，２８がねじ込まれるねじ孔３０の立上がり孔縁２９の内径が小さいと、上記固定ねじ２７，２８で立上がり孔縁２９がねじ切られてしまうおそれがあり、逆に大径に設定すると螺条の掛かり代が小さくなり過ぎて、十分な締め付けトルクが得られなくなる課題があった。
【００１０】
因みに、従来にあっては、内ケース２２を構成する板材の厚みの３０〜５０％を螺条の掛かり代として設定しており、板材の厚みが０．３ｍｍの場合は、片側０．１〜０．１５ｍｍの掛かり代しかならず、これでは十分な締め付けトルクが得られない。
【００１１】
また、立上がり孔縁２９は、通常、ねじ孔３０を形成する際にできるバリを利用したものであるため、その先端は切開かれている状態で、負荷が少しでも大きいと割れることがあって、ますます螺条の掛かりが悪くなることがあった。また、内ケース２２と外ケース２３を位置決めするものがないので、内ケース２２と外ケース２３がずれて、固定ねじ２７の螺条の掛かりが悪くなるという課題があった。
【００１２】
【発明が解決しようとする課題】
上記従来の問題点に鑑み、本発明が解決しようとする課題は、螺合孔への固定ねじの螺着を強固なものとし、さらに内ケースと外ケースの位置ずれを防止し確実な固定機能を発揮する電気器具を提供することである。
【００１３】
【課題を解決するための手段】
本発明は、前述する課題を解決するために、固定ねじを通す透孔を設けた第１板部材と、前記固定ねじが螺合される螺合孔を設けた第２板部材と、前記固定ネジで取り付けられる器具用の脚を具備し、前記螺合孔を前記第１板部材とは反対方向に突出する膨出部に形成し、前記脚に、前記膨出部の内部に突出する突出部を形成したものである。
【００１４】
したがって、第１板部材の透孔に固定ねじを通し第２板部材の螺合孔に螺合させると、その締付けによってその膨出部は平板状方向に変形し、結果として、螺合孔の孔縁が固定ねじの螺条に食い込むように変位するので、確実な固定機能を発揮できる。
【００１５】
【発明の実施の形態】
請求項１記載に係わる発明は、固定ねじを通す透孔を設けた第１板部材と、前記固定ねじが螺合される螺合孔を設けた第２板部材と、前記固定ネジで取り付けられる器具用の脚を具備し、前記螺合孔を前記第１板部材とは反対方向に突出する膨出部に形成し、前記脚に、前記膨出部の内部に突出する突出部を形成したもので、第１板部材の透孔に固定ねじを通し第２板部材の螺合孔に螺合させると、その締付けによって膨出部は第１板部材の方向に引っ張られて平板状方向に変形し、螺合孔の孔縁が固定ねじの螺条に食い込むように変位することとなる。そのため、固定ねじの螺条と螺合孔の孔縁との掛かり代が実質的に大きくなって強い締め付けトルクが得られる。また、突出部により、第１板部材と第２板部材を位置決めすることができると共に、膨出部そのものの塑性変形防止用に活用できる。
【００１６】
【実施例】
以下、本発明の参考例を、図１〜９を参照して説明する。
【００１７】
図１〜５は電気調理器に利用した例を示し、第１板部材１で構成される外ケース２には、第２板部材３で構成される内ケース４が内設してある。この内ケース４は内部が加熱室５に設定してあって、上下にヒータ６，７を具備している。また前方には扉８で開閉されるよう開放されている。
【００１８】
そして、外ケース２および内ケース４を構成する第１、第２板部材１，３は固定ねじ９，１０を介して複数箇所で固定されている。
【００１９】
すなわち、第１板部材１には上記固定ねじ９，１０を通す透孔１１が、第２板部材３には上記透孔１１と対応して螺合孔１２がそれぞれ形成してある。螺合孔１２は第２板部材３に形成した略台形状をなす膨出部１３の傾斜した頂壁１４に設けてあり、短径方向が頂壁１４の傾斜方向に向くよう略楕円状に設定されている。上記頂壁１４の傾斜は固定ねじ９，１０における螺条１５，１６の螺旋角度と一致させてある。
【００２０】
略楕円状の螺合孔１２にあって、その短径をＤ１、長径をＤ２、固定ねじにおける螺条１５，１６の谷径をＤ３、山径をＤ４、螺条１５，１６の谷径と山径の平均径をＤ５としたとき、Ｄ３＜Ｄ１＜Ｄ５に、Ｄ５＜Ｄ２＜Ｄ４にそれぞれ設定してある。
【００２１】
先の透孔１１の孔縁は、上記膨出部１３の内部に接するように立上がり孔縁１７としてある。
【００２２】
上記固定ねじ９，１０のうち、一方の固定ねじ９は第１，第２板部材１，３を直接固定するもの、他方の固定ねじ１０は器具の脚１８の取付けようにも兼用させたもので、一方の固定ねじ９よりは長くつくられている。
【００２３】
上記の構成において、短い固定ねじ９は、外ケース２を構成する第１板部材１の透孔１１にまず貫通させて内ケース４を構成する第２板部材３の螺合孔１２に、長い固定ねじ１０は、脚１８および第１板部材１の透孔１１を貫通させて第２板部材３の螺合孔１２にそれぞれ螺合し、締め付ければ、それら第１，２板部材１，３、すなわち外ケース２と内ケース４の固定、および、脚１８の固定が行われるものである。
【００２４】
上記固定ねじ９，１０の締め付け時、膨出部１３には第１板部材１方向の引張力が作用するところから、平板形状方向へ変位しようとし、そのために、螺合孔１２の孔縁が螺条１５，１６の谷部へ押しつけられるようになる。その結果、強い締め付けトルクが得られ、確実な固定機能を発揮することとなる。
【００２５】
また、螺合孔１２は膨出部１３の傾斜した頂壁１４に設けてあり、しかもその傾斜は固定ねじ９，１０における螺条１５，１６の螺旋角度と一致させてあるため、螺条１５，１６の少なくとも半周は螺合孔１２に係合し、より一層締め付けトルクの強化が図れる。
【００２６】
さらに、略楕円状の螺合孔１２にあって、その短径をＤ１、長径をＤ２、固定ねじ９，１０における螺条１５，１６の谷径をＤ３、山径をＤ４、螺条１５，１６の谷径と山径の平均径をＤ５としたとき、Ｄ３＜Ｄ１＜Ｄ５に、Ｄ５＜Ｄ２＜Ｄ４にそれぞれ設定したことによって、固定ねじ９，１０における螺条１５，１６の山部は長径部分で上下に交差するようになり、螺合孔１２の孔縁を実質的に切り込まないので、その部位の強度は一段と向上する。
【００２７】
膨出部１３の形状は略台形状に特定されるのではなく、図６〜９に示すように球面形状としても同様の作用効果が得られる。
【００２８】
本発明の一実施例を、図１０、１１を用いて説明する。図１０、１１において、第１板部材１に形成された透孔１１に先の参考例のような立上がり孔縁１７をつくらず、代わって脚１８にこの透孔１１を貫通して台形状の膨出部１３の内面に嵌り合う突出部１９を形成したものである。いずれにしても、先の参考例の立上がり孔縁１７も、本実施例の突出部１９も、膨出部１３内部に臨んで第１板部材１に第２板部材３を位置決めするものである。
【００２９】
もちろん、膨出部１３は図１２，１３のように球面形状であっても良いことは、今さらいうまでもないことである。螺合孔１２は図１０，１１のように台形状の膨出部１３の平面状頂壁１４に形成しても、或いは、図１２，１３のように球面形状の膨出部１３の頂点部分に形成してもよく、加えてその形状は真円形状のものも考えられる。
【００３０】
これら実施例に示す構成では、上記固定ねじ９，１０の締め付け時、膨出部１３に第１板部材１方向への引張力が作用して平板形状方向へ変位しようとし、これにより、螺合孔１２の孔縁が螺条１５，１６の谷部へ押しつけられるところから、第２板部材３が薄いものであっても確実な固定力が得られるとともに、板材の破損なども抑制できるものである。
【００３１】
したがって、図５に示すような電気調理器に採用した場合、内ケース４を構成する第２板部材３の板厚が薄くても確実に外ケース２に固定できることとなる。このことは内ケース４の熱負荷の低減につながり、加熱室５の室温立上がり特性を高め、しかもヒータ６，７の熱を効率良く調理に活用できるようになる。また上記のように固定部に破損が生じないため、内ケース４からの熱流出がなくなり、一層の熱効率の向上が図れ、外ケース２も過熱されるようなことがなくなるものである。
【００３２】
【発明の効果】
以上のように本発明のねじを使った電気器具は、第１板部材の透孔を貫通させた固定ねじを第２板部材の螺合孔に螺合、締め付けて第１，第２板部材を固定する構成において、第２板部材の螺合孔を、第１板部材とは反対方向に突出する膨出部に形成し、固定ねじの螺合、締付けによる引張力よってその膨出部を平板状方向に変形させ、螺合孔の孔縁を固定ねじの螺条に食い込むように変位させることにしたことによって、確実な固定状態が得られ、特に板部材の厚みの影響を受けないものである。
【００３３】
また、螺合孔の孔縁部などの破損も抑制され、より一層強固な固定力が得られるものである。
【図面の簡単な説明】
【図１】  本発明の参考例を示すねじ固定部の断面図
【図２】  同脚固定を兼ねたねじ固定部の断面図
【図３】  同固定ねじを装着していない状態での断面図
【図４】  同固定ねじを装着していない状態での平面図
【図５】  電気調理器に応用した例を示す断面図
【図６】  本発明の他の参考例を示すねじ固定部の断面図
【図７】  同脚固定を兼ねたねじ固定部の断面図
【図８】  同固定ねじを装着していない状態での断面図
【図９】  同固定ねじを装着していない状態での平面図
【図１０】  本発明の一実施例を示す脚固定を兼ねたねじ固定部の断面図
【図１１】  同固定ねじを装着していない状態での断面図
【図１２】  本発明の他の実施例を示す脚固定を兼ねたねじ固定部の断面図
【図１３】  同固定ねじを装着していない状態での断面図
【図１４】  従来の電気調理器の断面図
【図１５】  同ねじ固定部の断面図
【図１６】  同脚固定を兼ねたねじ固定部の断面図
【図１７】  同固定ねじを装着していない状態での断面図
【符号の説明】
１  第１板部材
２  外ケース
３  第２板部材
４  内ケース
９，１０  固定ねじ
１１  透孔
１２  螺合孔
１３  膨出部
１４  頂壁
１５，１６  螺条
１７  立上がり孔縁
１８  脚
１９  突出部
【図１】
0004296745.tif 000002
【図２】
0004296745.tif 000003
【図３】
0004296745.tif 000004
【図４】
0004296745.tif 000005
【図５】
0004296745.tif 000006
【図６】
0004296745.tif 000007
【図７】
0004296745.tif 000008
【図８】
0004296745.tif 000009
【図９】
0004296745.tif 000010
【図１０】
0004296745.tif 000011
【図１１】
0004296745.tif 000012
【図１２】
0004296745.tif 000013
【図１３】
0004296745.tif 000014
【図１４】
0004296745.tif 000015
【図１５】
0004296745.tif 000016
【図１６】
0004296745.tif 000017
【図１７】
0004296745.tif 000018